(57)【特許請求の範囲】
【請求項１】
ＢＴＳ（Ｂａｓｅ Ｔｒａｎｓｃｅｉｖｅｒ Ｓｔａｔｉｏｎ）とＵＥ（Ｕｓｅｒ Ｅｑｕｉｐｍｅｎｔ）の間におけるダウンリンクＭＩＭＯ（ｍｕｌｔｉｐｌｅ ｉｎｐｕｔ／ｍｕｌｔｉｐｌｅ ｏｕｔｐｕｔ）オペレーションのためのダウンリンク制御シグナリング方法であって、
各UEのランクと、各UEのDM-RSポートインデックスと、を各UEの割当ポートにマッピングする第１のマッピングテーブルを保持するステップと、
メッセージインデックスを前記BTSによる使用レイヤの総数、及び、CDMグループに対して割り当てられたレイヤの数にマッピングする第２のマッピングテーブルを保持するステップと、
前記BTSが各UEに対して、メッセージインデックス、各UEのランク、各UEのDM-RSポートインデックスをシグナリングするステップと、
各UEが、前記第１のマッピングテーブルを参照し、前記ランク及び前記DM-RSポートインデックスに基づいて、各UEの割当ポートを取得するステップと、
各UEが、前記第２のマッピングテーブルを参照し、前記メッセージインデックスに基づいて、前記BTSによる使用レイヤの総数、及び、前記CDMグループに対して割り当てられたレイヤの数を取得するステップと、
を含む、
ダウンリンク制御シグナリング方法。
【発明の詳細な説明】
【技術分野】
【０００１】
本発明の分野は、大略、基地局(Ｂａｓｅ Ｔｒａｎｓｃｅｉｖｅｒ Ｓｔａｔｉｏｎ)と移動機(Ｕｓｅｒ Ｅｑｕｉｐｍｅｎｔ)の間におけるダウンリンクの多入力多出力オペレーションのためのダウンリンク制御シグナリング方法に関する。本発明は、特にＬＴＥ−Ａｄｖａｎｃｅｄ通信システムの一部を形成するｅＮＢ(ｅｖｏｌｖｅｄ Ｎｏｄｅ Ｂ)とＵＥの間におけるダウンリンク制御シグナリングに適用され、便宜的に適用例と関連付けて説明される。
【背景技術】
【０００２】
ＬＴＥ(Ｌｏｎｇ Ｔｅｒｍ Ｅｖｏｌｕｔｉｏｎ)において、ダウンリンクＭＩＭＯ(Ｍｕｌｔｉｐｌｅ Ｉｎｐｕｔ Ｍｕｌｔｉｐｌｅ Ｏｕｔｐｕｔ)アンテナの概念は、高ピークなデータレートを達成するために使用される。ＬＴＥシステムにおいて、多重アンテナは、送信側のｅＮＢ(ｅＮｏｄｅ Ｂ)で使用され、受信側のＵＥ(Ｕｓｅｒ Ｅｑｕｉｐｍｅｎｔ)でも使用される。ｅ Ｎｏｄｅ Ｂとは、ＵＭＴＳに用いられる用語であり、ＬＴＥシステムにおけるＢＴＳ(Ｂａｓｅ Ｔｒａｎｓｃｅｉｖｅｒ Ｓｔａｔｉｏｎ)を示す。ｅＮＢ及びＵＥの両者で多重アンテナを用いることにより、適切なチャネル条件を前提として或る特定ＵＥのデータレートを増加させることができる。
【０００３】
ネットワーク全体のキャパシティを更に向上させるため、ＬＴＥ−ＡｄｖａｎｃｅｄシステムにおいてはＭＵ−ＭＩＭＯ(Ｍｕｌｔｉ-ｕｓｅｒ ＭＩＭＯ)技術の拡張が更に展開されている。その名称が示す通り、ＭＵ−ＭＩＭＯ技術は、特定の時間及び周波数リソースを利用し、ｅＮＢ及びＵＥの両者で１以上のアンテナを用いた伝送を行いつつ１以上のＵＥにサービスを提供する。シングルユーザシナリオとマルチユーザシナリオとを区別するため、ＳＵ−ＭＩＭＯ及びＭＵ−ＭＩＭＯとの用語を用いる。
【０００４】
ＳＵ−ＭＩＭＯ及びＭＵ−ＭＩＭＯの概念は、図１及び図２にそれぞれ示されている。図１が、ＵＥ１２とＳＵ−ＭＩＭＯ通信中のｅＮＢ１０を示す一方、図２は、ＵＥ１６及び１８とＭＵ−ＭＩＭＯ通信中のｅＮＢ１４を示している。
【０００５】
深刻なオーバヘッドを招くこと無く高次ＭＩＭＯの利用を促進するため、復調(ＤＭ-ＲＳ)のためにＤＲＳ(ｄｅｄｉｃａｔｅｄ ｒｅｆｅｒｅｎｃｅ ｓｉｇｎａｌｓ)を利用することが３ＧＰＰ(３ｒｄ Ｇｅｎｅｒａｔｉｏｎ Ｐａｒｔｎｅｒｓｈｉｐ Ｐｒｏｇｒａｍ)によって採用されている。ＳＵ−ＭＩＭＯコンテキストにおいて、ＤＭ−ＲＳは、特定のＵＥに対して指定されたリソースブロックに含まれるリファレンスシグナルが当該ＵＥのみによって使用されるべきことを意味する。ＤＭ−ＲＳの構成は未だ決定されていないが、周波数分割及び符号分割多重の組合せを利用するスキームが検討されている。図３〜図５は、リソースブロック２０〜２４をそれぞれ示している。リソースブロック２０〜２４は、それぞれ、最大で２、４及び８までの送信レイヤのためのＤＭ−ＲＳパターンを示している。
【０００６】
しかしながら、ＳＵ−ＭＩＭＯコンテキストにおいては、問題はより複雑である。同一の時間及び周波数リソースが１以上のＵＥによって共有されるため、ＤＭ−ＲＳが異なるＵＥによって共有される虞がある。このことは、一のＵＥから他のＵＥへのクロスインターフェアレンスを増加させ、以て各ＵＥのチャネル推定及び全般的なスループット性能を悪化させ得る。
【０００７】
この問題を回避するため、３ＧＰＰは、異なるＵＥを異なるレイヤにマッピングして使用することを採用している。例えば、ｅＮＢが合計で４つの利用可能なレイヤを有し且つ同一の時間及び周波数リソースを用いて２つのＵＥにサービスを提供する必要がある場合、ｅＮＢは第１のＵＥへのデータ送信に最初の２つのレイヤを使用できるが、残りの２つのレイヤは第２のＵＥへのサービス提供に使用され得る。故に、このようなマッピングの使用は、各ＵＥがＤＭ−ＲＳをチャネル推定のために割り当てられたレイヤから利用し得ることを意味する。
【発明の概要】
【発明が解決しようとする課題】
【０００８】
上述したＤＭ−ＲＳ構造を伴うＭＵ−ＭＩＭＯ技術の利用は、幾つかの困難な課題を引き起こす。その一部を以下に記載する。
【０００９】
＜１．透過的なＳＵ／ＭＩＭＯオペレーション＞
３ＧＰＰでは、ＳＵ−ＭＩＭＯ及びＭＵ−ＭＩＭＯのオペレーションがＵＥにとって透過的であるべきことが求められている。このことは、ｅＮＢが、ＵＥに対して特別な動作モードをシグナリングすること無く、ＳＵ−ＭＩＭＯ送信とＭＵ−ＭＩＭＯ送信とを動的に切替可能であるべきことを意味する。これは、ＳＵ−ＭＩＭＯ及びＭＵ−ＭＩＭＯが単一の伝送モードとして実装され得ることを意味する。
【００１０】
＜２．割当レイヤの制御シグナリング＞
異なるＵＥを異なるレイヤへ割り当てることにより、ＵＥは、適切にＤＭ−ＲＳを検出し、ＤＭ−ＲＳに基づきチャネル推定を行い且つデータを復調するためには、割り当てられたレイヤがどのレイヤであるかを知る必要がある。使用レイヤのシグナリングは、今のところオープンな問題である。
【００１１】
＜３．最大電力利用の維持＞
ＵＥは、適切にデータを復調するために、ｅＮＢによって使用されるＲＳ ＥＰＲＥ及びＰＤＳＣＨ ＥＰＲＥの比(データがＱＡＭ変調されているかどうか、或いはデータ＞ランク１送信が成立するかどうか)を知らなければならない。Ｒｅｌ−８において、このような電力比情報はＵＥへシグナリングされる。専用のＲＳをＤＭ−ＲＳとして利用することのメリットの一つは、電力比が常に固定である或いはＵＥに知らされているならば、ＲＳ ＥＰＲＥ及びＰＤＳＣＨ ＥＰＲＥの比をＵＥへシグナリングする必要が無いことにある。例えば、ＤＭＲＳ多重方式が純粋なＣＤＭである場合、電力比は０ｄＢに固定され得る。ＤＭ−ＲＳ多重がＣＤＭとＦＤＭのハイブリッドとして実装される場合、２つのオプションが存在する。
（１）電力比が単一の値に固定される。このオプションのメリットは、以下に説明する如くＤＭ−ＲＳのための送信電力が利用されることにある。
（＊）図５に示す例において、最大で４レイヤのＤＭ−ＲＳのみが一つのリソースエレメントにマッピングされる。しかしながら、データに用いられるリソースエレメント上には、８レイヤまでマッピングしても良い。このため、電力比が０ｄＢに固定される場合、ＤＭ−ＲＳを伴うリソースエレメントの総電力(４レイヤの合計)は、データＲＥの総電力(８レイヤの合計)の半分に過ぎない。従って、半分の電力が消費され、最終的にはパフォーマンス低下をもたらす。
（２）電力比は、ｅＮＢにて送信電力をより有効に利用することを目的とした、ＵＥに対するレイヤ割当の機能である。
（＊）第１のオプションで与えられた例に戻ると、ＰＤＳＣＨ ＥＰＲＥに対するＤＭ−ＲＳ ＥＰＲＥの比は、ＤＭ−ＲＳ用に送信電力をより有効に利用するためには２であり得る。加えて、ＤＭ−ＲＳに基づくチャネル推定の精度も改善され、ＰＤＳＣＨスループットの増加に直結するであろう。
【００１２】
出願人は、上記のオプション２が好適であることを見出した。ＳＵ−ＭＩＭＯの場合、ＵＥは、個別のＤＭ−ＲＳポート割当情報を前提として電力比を判定できる。しかしながら、ＭＵ−ＭＩＭＯの場合、個別のＤＭ−ＲＳポート割当情報は、同一のリソースブロックを共有する他のＵＥに対するＤＭ−ＲＳポート割当にも依存する電力比としては十分で無い。このため、この比を、適切なデータ復調のために各ＵＥに知らせるメカニズムが要求される。
【００１３】
＜４．制御シグナリングオーバヘッド＞
このような情報(使用レイヤ及び電力オフセット)の伝達方法は、明らかに更なるオーバヘッドを招くであろう。このオーバヘッドは出来るだけ最小限に抑え、以て最も効率的且つ費用効果の高いデータ送信リソースの活用を図るべきである。
【００１４】
これらの課題の１以上を改善又は克服する、基地局(Ｂａｓｅ Ｔｒａｎｓｃｅｉｖｅｒ Ｓｔａｔｉｏｎ)と移動機(Ｕｓｅｒ Ｅｑｕｉｐｍｅｎｔ)の間におけるダウンリンクの多入力多出力オペレーションのためのダウンリンク制御シグナリング方法を提供することが望ましい。
【課題を解決するための手段】
【００１５】
第１の態様において、本発明は、ＢＴＳ(Ｂａｓｅ Ｔｒａｎｓｃｅｉｖｅｒ Ｓｔａｔｉｏｎ)とＵＥ(Ｕｓｅｒ Ｅｑｕｉｐｍｅｎｔ)の間におけるダウンリンクＭＩＭＯ(ｍｕｌｔｉｐｌｅ ｉｎｐｕｔ／ｍｕｌｔｉｐｌｅ ｏｕｔｐｕｔ)オペレーションのためのダウンリンク制御シグナリング方法を提供する。この方法は、前記ＵＥによってアクセス可能なネットワーク位置に、第１のＵＥシグナリングデータを含む１以上のマッピングテーブルを保持するステップと、前記ＵＥへメッセージインデックスを送信して、前記ＵＥによる関連する第１のＵＥシグナリングデータの読出を可能にするステップと、前記ＵＥへ第２のＵＥシグナリングデータを送信するステップと、前記ＵＥで前記第１及び第２のＵＥシグナリングデータを使用して、ＵＥ制御データを導出するステップとを含む。
【００１６】
１以上の実施の形態において、前記ＵＥ制御データは、ＵＥランク及びＵＥ ＤＭ−ＲＳポート割当を含む。前記ＵＥ制御データは、前記ＵＥへ送信されるデータシンボルに対するＤＭ−ＲＳの電力比をさらに含んでも良い。
【００１７】
第１のマッピングテーブルは、前記第２のＵＥシグナリングデータを、ＵＥの割当ＤＭ−ＲＳポートにマッピングしても良い。前記第２のＵＥシグナリングデータは、ＵＥランク及びＵＥ ＤＭ−ＲＳポートインデックスを含んでも良い。
【００１８】
前記方法は、前記ＵＥで前記第２のＵＥシグナリングデータ及び前記第１のマッピングテーブルを使用して、ＵＥ ＤＭ−ＲＳポート割当を判定するステップをさらに含んでも良い。
【００１９】
第２のマッピングテーブルは、前記メッセージインデックスを、ＤＭ−ＲＳポートの第１のＣＤＭグループに対し割り当てられた送信レイヤの数にマッピングしても良い。
【００２０】
前記第２のマッピングテーブルは、前記メッセージインデックスを、全てのＤＭ−ＲＳポートに対し割り当てられた送信レイヤの総数にもマッピングしても良い。或いは、前記第２のマッピングテーブルは、前記メッセージインデックスを、ＤＭ−ＲＳポートの第２のＣＤＭグループに対し割り当てられた送信レイヤの数にもマッピングしても良い。
【００２１】
前記方法は、前記ＵＥで前記送信されたメッセージインデックス及び前記第２のマッピングテーブルを使用して、前記ＢＴＳが用いる送信レイヤの総数、及びＤＭ−ＲＳポートの１以上のＣＤＭグループに対し割り当てられた送信レイヤの数を判定するステップをさらに含んでも良い。
【００２２】
第３のマッピングテーブルは、前記ＢＴＳが用いる送信レイヤの総数及びＤＭ−ＲＳポートの１以上のＣＤＭグループに対し割り当てられた送信レイヤの数を、前記ＵＥへ送信されるデータシンボルに対するＤＭ−ＲＳの電力比にマッピングしても良い。この場合、前記方法は、前記ＵＥで前記ＢＴＳが用いる送信レイヤの総数、ＤＭ−ＲＳポートの１以上のＣＤＭグループに対し割り当てられた送信レイヤの数、及び前記第３のマッピングテーブルを使用して、前記ＵＥへ送信されるデータシンボルに対するＤＭ−ＲＳの電力比を導出するステップをさらに含んでも良い。
【００２３】
他の実施の形態において、第４のマッピングテーブルは、前記メッセージインデックスを、前記ＵＥへ送信されるデータシンボルに対するＤＭ−ＲＳの電力比にマッピングする。この場合、前記方法は、前記ＵＥで前記メッセージインデックス及び前記第４のデータテーブルを使用して、前記ＵＥへ送信されるデータシンボルに対するＤＭ−ＲＳの電力比を導出するステップをさらに含んでも良い。
【００２４】
第２の態様において、本発明は、ＢＴＳ(Ｂａｓｅ ｔｒａｎｃｅｉｖｅｒ Ｓｔａｔｉｏｎ)を有する通信ネットワークの一部を形成するＵＥ(Ｕｓｅｒ Ｅｑｕｉｐｍｅｎｔ)を提供する。この通信ネットワークにおいて、ダウンリンクＭＩＭＯ(ｍｕｌｔｉｐｌｅ ｉｎｐｕｔ／ｍｕｌｔｉｐｌｅ ｏｕｔｐｕｔ)オペレーションのためのダウンリンク制御シグナリングが前記ＢＴＳと前記ＵＥとの間で伝送される。この態様において、前記ＵＥは、前記ＵＥによってアクセス可能なネットワーク位置に、第１のＵＥシグナリングデータを含む１以上のマッピングテーブルを保持するメモリ装置と、前記ＵＥへのメッセージインデックスを受信して、前記ＵＥによる関連する第１のＵＥシグナリングデータの読出を可能にし、前記ＵＥへの第２のＵＥシグナリングデータを受信し、前記第１及び第２のＵＥシグナリングデータを使用して、ＵＥ制御データを導出する処理手段とを含む。
【発明の効果】
【００２５】
本発明によれば、上記課題の１以上が改善又は克服される。
【図面の簡単な説明】
【００２６】
【図１】ＳＵ−ＭＩＭＯ通信中のｅＮＢ及びＵＥを示した概略図である。
【図２】ＭＵ−ＭＩＭＯ通信中のｅＮＢ及びＵＥを示した概略図である。
【図３】２つの送信レイヤのためのＤＭ−ＲＳパターンを示したリソースブロックである。
【図４】４つの送信レイヤのためのＤＭ−ＲＳパターンを示したリソースブロックである。
【図５】８つの送信レイヤのためのＤＭ−ＲＳパターンを示したリソースブロックである。
【図６】本発明の他の実施の形態に係る、ＭＵ−ＭＩＭＯ通信中のｅＮＢ及びＵＥを示した概略図である。
【図７】図６のｅＮＢ及びＵＥにおけるデータフローを示したフローチャート図である。
【図８】図６のｅＮＢ及びＵＥにおけるデータフローを示したフローチャート図である。
【発明を実施するための形態】
【００２７】
図６を参照すると、ＵＥ２８及び３０とＭＵ−ＭＩＭＯ通信中のｅＮＢ２６が示されている。ｅＮＢ２６並びにＵＥ２８及び３０は、１以上のマッピングテーブル３２〜３６を保持するメモリ装置をそれぞれ含んでいる。本発明の他の実施の形態において、これらのマッピングテーブルは、ｅＮＢ及びＵＥ内に記憶される必要は無く、通信システムにおける他のアクセス可能な位置に記憶されても良い。
【００２８】
ｅＮＢ２６とＵＥ２８及び３０の間におけるダウンリンクＭＩＭＯオペレーションのためのダウンリンク制御シグナリング方法においては、削減されてはいるものの十分である、ＵＥが要求する必要情報の一部を説明する。これにより、ＳＵ／ＭＵ−ＭＩＭＯの透過性を維持しつつオーバヘッドを削減すること、割り当てたＤＭＲＳポート及び電力比をＵＥに対し効率的にシグナリングすることができる。ＭＵ−ＭＩＭＯオペレーションがＭＵ−ＭＩＭＯ伝送モードとして可能な場合、この方法は、そのようなオペレーションをサポートするためのダウンリンク制御シグナリングも提供する。
【００２９】
この方法の２つの異なる実施の形態を説明する。
【００３０】
＜方法１：レイヤ及びグループ情報をシグナリング＞
本実施の形態を用いて、下記の情報が各ＵＥへシグナリングされる。
（＊）ｅＮＢがＤＭ−ＲＳ ＣＤＭグループ毎に使用するレイヤの総数
（＊）ＵＥに対し割り当てたＤＭ−ＲＳポート
【００３１】
これは、下記のステップを用いて達成される。
ステップ１：グループを定義
本実施の形態によれば、ＤＭ−ＲＳポートは、図５に示すようなＤＭ−ＲＳマッピングに対応する２つのＣＤＭグループに分割される。この図から、ポート０、１、４及び５をＣＤＭグループ１に含ませ、ポート１、２、３、６及び７をＣＤＭグループ２に含ませる。
【００３２】
ステップ２：マッピングテーブルを定義
下記の情報のいずれかがＵＥへ伝達され得る。
（１）ｅＮＢが使用するレイヤ及び特定グループに対し割り当てたレイヤの総数(制御メッセージインデックスマッピングテーブルは、表１に示す如く定義できる)
（２）ＣＤＭグループ１及びＣＤＭグループ２に対し割り当てたレイヤの数(制御メッセージインデックスマッピングテーブルは、表２に示す如く定義できる)
【００３３】
ＵＥに対し割り当てるＤＭ−ＲＳポートが常に連続的であるとすると、ランク及び最小のＤＭ−ＲＳポートインデックスを実際のＤＭ−ＲＳポート割当にマッピングするテーブル(一例を表３に示す)も決定される。なお、連続的なポート割当の前提は、厳密に言えば不要であるが、制御シグナリングのオーバヘッドを大いに削減する。この前提を伴う他のシグナリング方法もあり、ランク及び最小のＤＭ−ＲＳポートインデックスをシグナリングすることは一例に過ぎない。
【００３４】
電力オフセットを定義するテーブルも、使用レイヤの総数並びにグループ１及び２のためのレイヤ数に基づいて特定できる(表４を参照)。テーブル中のエントリは、ＮＰＤＭＲＳ＝ＭＰＰＤＳＣＨを前提として算出されている。ここで、Ｎは、ＤＭ−ＲＳ ＣＤＭグループにおいて用いられるレイヤの数であり、Ｍは、ＰＤＳＣＨデータ送信に用いるレイヤの総数であり、ＰＤＭＲＳは、レイヤ毎のＤＭ−ＲＳの電力であり、ＰＰＤＳＣＨは、レイヤ毎のＰＤＳＣＨの電力である。ＣＤＭグループに対応する電力比は、ＰＤＭＲＳ／ＰＰＤＳＣＨ＝Ｍ／Ｎによって決定される。
【００３５】
全てのテーブルは、全てのＵＥ及びｅＮＢに知らされる。
【００３６】
なお、これらのテーブルは、セルにおいて最大で８つの送信レイヤがサポートされることを前提として構築されている。レイヤの最大サポート数が８より小さい場合(例えば、４も一般的な設定である)、結果として得られるテーブルは、明らかに以下に示されるテーブルの一部に過ぎない。
【００３７】
【表１】
0005598544.tif 000002
【００３８】
【表２】
0005598544.tif 000003
【００３９】
【表３】
0005598544.tif 000004
【００４０】
【表４】
0005598544.tif 000005
【００４１】
ステップ３：ｅＮＢが情報をシグナリング
図７を参照すると、ｅＮＢは、各ＵＥに対して下記の情報をシグナリングする。
（＊）ｅＮＢ及び全てのＵＥの両者に知らされているマッピングテーブル(テーブル１又はテーブル２)から取り出したメッセージインデックス４０
（＊）ＵＥのランク４２
（＊）ＵＥのＤＭ−ＲＳポートインデックス４４(最小のポートインデックス)
【００４２】
ステップ４：ＵＥがランク及びＤＭ−ＲＳポートインデックスを解釈
ランク及びＤＭ−ＲＳポートインデックス情報から、ＵＥは、適切なマッピングテーブル４６(テーブル３)を用いて、ＵＥの割当ポート５８を判定する。
【００４３】
ステップ５：ＵＥがテーブル１又はテーブル２からメッセージインデックスを解釈
メッセージインデックスを受信すると、ＵＥは、適切なマッピングテーブル５２(テーブル１又はテーブル２)から、ｅＮＢによる使用レイヤの総数４８並びにＣＤＭグループ１及び２に対し割り当てられたレイヤの数５０を判定する。
【００４４】
ステップ６：ＵＥが電力比を判定
ｅＮＢによる使用レイヤの総数並びにＣＤＭグループ１及び２に対し割り当てられたレイヤの数を用い、適切なマッピングテーブル５６(テーブル４)から、ＤＭ−ＲＳとデータ(ＰＤＳＣＨ)シンボルの電力比５４を判定できる。
【００４５】
＜方法２：電力比情報をシグナリング＞
本実施の形態を用いて、下記の情報が各ＵＥへシグナリングされる。
（＊）電力比情報
（＊）ＵＥ(ランク)に対し割り当てたレイヤの数
（＊）各ＵＥに対し割り当てたＤＭ−ＲＳポートインデックス
【００４６】
これは、下記のステップを用いて達成される。
ステップ１：テーブルを定義
シグナリングオーバヘッドを削減するため、テーブル４中のユニークな電力比の各々は、インデックスにマッピングされ得る。テーブル５には、最大で８つの送信レイヤのための例が示されている。なお、セルにおいてサポートされる送信レイヤの最大数がより小さい場合には、テーブル中の幾つかのエントリは、必要では無く削除できる。
【００４７】
テーブル３に示されるようなランクとＤＭ−ＲＳポートインデックスの間におけるマッピングも定義される。全てのテーブルは、全てのＵＥ及びｅＮＢに知らされる。
【００４８】
【表５】
0005598544.tif 000006
【００４９】
ステップ２：ｅＮＢが情報をシグナリング
図８を参照すると、ｅＮＢは、各ＵＥに対して下記の情報をシグナリングする。
（＊）ｅＮＢ及び全てのＵＥの両者に知らされているマッピングテーブルから取り出したメッセージインデックス７０
（＊）ＵＥのランク７２
（＊）ＵＥのＤＭ−ＲＳポートインデックス７４
【００５０】
ステップ３：ＵＥがランク及びＤＭ−ＲＳポートインデックスを解釈
ランク及びＤＭ−ＲＳポートインデックス情報から、ＵＥは、適切なマッピングテーブル７８(テーブル３)を用いて、ＵＥの割当ポート７６を判定する。
【００５１】
ステップ４：ＵＥがテーブル５から電力比を解釈
ＵＥは、メッセージインデックスから、ＤＭ−ＲＳグループ毎の電力比８０を推測する。適切なマッピングテーブル８２(テーブル５)からの電力比は、ｅＮＢによりシグナリングされた最小のポートインデックスが属するＤＭ−ＲＳ ＣＤＭグループに対応し得る。そして、他のＣＤＭグループの電力比は、マッピングテーブル８２から判定できる。
【００５２】
方法１又は２のいずれかを用いた他の制御情報は、ＵＥに割り当てたリソースブロック毎にシグナリングすれば良い。或いは、同一の制御情報は、ＵＥに割り当てた全てのリソースブロックに適用できる。後者は、スケジューリングの柔軟性を犠牲にして、制御オーバヘッドを大幅に削減する。
【００５３】
方法１のメリット：
（＊）ＵＥは、ｅＮＢによりＤＭ−ＲＳ ＣＤＭグループ毎にいくつのレイヤが使用されているかを正確に知る。従って、ＵＥにてマルチユーザインターフェアレンス抑圧を実施することが容易である。
【００５４】
方法１のデメリット：
（＊）制御オーバヘッドを省くためにＵＥに割り当てられた全てのリソースブロックに対して共通のシグナリングを適用するならば、スケジューラに対して過度の制約が課される。
（＊）要求される制御シグナリングビットの数が、方法２で要求される数より大きい。
【００５５】
方法２のメリット：
（＊）方法２は、制御オーバヘッドを省くためにＵＥに割り当てられた全てのリソースブロックに対して共通のシグナリングを適用するならば、方法１と比してよりスケジューリングの柔軟性を保つことができる。その理由は、方法１用のメッセージインデックスがＵＥに対するサブフレーム中の全てのＲＢに適用されるとの前提が、実質的にｅＮＢによって関連する全てのＲＢのためにＣＤＭ毎に使用され得るＤＭ−ＲＳポートの数を定義し、関連する全てのＲＢのための送信レイヤの総数をも定義するためである。一方、方法２用のメッセージインデックスは、ｅＮＢに、１を上回り得る送信レイヤの総数を使用可能にさせる。例えば、シグナリングされた電力比が２である場合、テーブル５から、合計で２、４、６又は８つの送信レイヤが可能である。従って、同一サブフレームに割り当てられるＲＢ毎の送信レイヤの総数を、ＵＥが知らずとも、変化させることができる。
（＊）要求される制御シグナリングビットの数が、方法１で要求される数より小さい。
【００５６】
方法２のデメリット：
（＊）更に複雑なＵＥ処理或いは制御シグナリング設計の更なる改良が不可能な訳では無いが、方法１と比して、ＵＥにてマルチユーザインターフェアレンス抑圧を実施することが困難である。
【００５７】
前述の説明においては、次のことを前提としている。
（＊）ＣＤＭ及びＦＤＭを用いたＤＭ−ＲＳマッピング(同様だが必ずしも図３〜図５と同一では無く採用される)。
（＊）電力増幅器を十分に利用することが要求され、リソースエレメントに対応する全てのレイヤの総送信電力が一定に保たれる。
（＊）同一のリソースブロックを共有する全てのＵＥに割り当てられる総電力が同一である。
【００５８】
上述したダウンリンク制御シグナリング方法は、ＵＥがＤＭ−ＲＳ対データ電力比、ＤＭ−ＲＳポート割当及びランク割当に関する全ての情報を解明し得るマッピングテーブルのフレームワークを構築する。削減された一連の情報を送信することによってオーバヘッドシグナリングが削減され、以てシステム全体を効率的にする。マッピングテーブルは、透過的なＳＵ／ＭＵ−ＭＩＭＯオペレーションも可能にする。ＵＥにＤＭ−ＲＳ及びデータ間の電力比を知らせるといった制御情報の効果的なシグナリングは、一定の総送信電力を維持可能にする。
【００５９】
本発明を限られた実施の形態と併せて説明したが、当業者にとっては前述の説明に照らして多くの代替、改良及び変更が可能であることが明らかである。従って、本発明は、このような代替、改良及び変更を、その開示の範囲内で包含するものである。
【００６０】
＜参照による引用＞
この出願は、２００９年１０月２９日に出願されたオーストリア仮特許出願２００９９０５３０６を基礎とする優先権を主張し、その開示の全てをここに取り込む。
【産業上の利用可能性】
【００６１】
本発明は、基地局(Ｂａｓｅ Ｔｒａｎｓｃｅｉｖｅｒ Ｓｔａｔｉｏｎ)と移動機(Ｕｓｅｒ Ｅｑｕｉｐｍｅｎｔ)の間におけるダウンリンクの多入力多出力オペレーションのためのダウンリンク制御シグナリング方法に適用できる。
【符号の説明】
【００６２】
２６  ｅＮＢ(ｅｖｏｌｖｅｄ Ｎｏｄｅ Ｂ)
２８  ＵＥ(Ｕｓｅｒ Ｅｑｕｉｐｍｅｎｔ)
３０  ＵＥ(Ｕｓｅｒ Ｅｑｕｉｐｍｅｎｔ)
３２  マッピングテーブル
３４  マッピングテーブル
３６  マッピングテーブル
【図１】
0005598544.tif 000007
【図２】
0005598544.tif 000008
【図３】
0005598544.tif 000009
【図４】
0005598544.tif 000010
【図５】
0005598544.tif 000011
【図６】
0005598544.tif 000012
【図７】
0005598544.tif 000013
【図８】
0005598544.tif 000014